(57)【特許請求の範囲】
【請求項１】
筐体内部のディスクが上方に装着されるユニットメカと、このユニットメカの周囲部分を占める骨格となるメカシャシと、このメカシャシの内側に設けられ前記ディスクの記録・再生を行うピックアップと、前記ディスクを回転させるスピンドルモータと、前記ピックアップの移動を案内する主案内軸及び副案内軸と、前記メカシャシを覆うユニットカバーと、前記ピックアップの中央の対物レンズ周辺部の移動範囲と前記スピンドルモータの回転部とに相当する範囲で前記ユニットカバーに設けられた中央開口と、前記ディスクの取込みと排出を行う駆動レバーと、前記ユニットメカのスピンドルモ−タ側を上昇または下降させるユニットメカ揺動部と、前記ピックアップと固定された回路基板とを接続するピックアップフレキシブル配線とを備えた光ディスク装置において、
前記ユニットカバーは、
前記ディスクの搬送時に前記ユニットカバーの上にせり出す前記駆動レバーの軌跡に相当する位置に設けられたレバー支持平板部と、前記副案内軸側でかつ前記ピックアップの移動により前記ピックアップフレキシブル配線が前記ディスクへの接触を防ぐためのフレキシブル配線押さえ平板部と、前記ユニットメカのディスク外周側から前記副案内軸側の前寄りで前記ディスクの取込みと排出時の記録面側を摺動させながら保持するためのディスク導入平板部と、前記メカシャシを前記ユニットカバーに固定するために周囲平板部とを取り付けてなり、
これらの平板部を残した上で、前記副案内軸側の前記フレキシブル配線押さえ平板部と前記レバー支持平板部に沿って前記ピックアップの移動方向と直交する方向にほぼ前記周囲平板部と前記副案内軸に達する範囲に広げた１つ以上の副案内軸側通気開口を形成し、前記中央開口を前記主案内軸側にほぼ前記周囲平板部と前記主案内軸に達するまで広げられた主案内軸側拡大切欠き部が形成するとともに、
前記副案内軸側通気開口は前記光ピックアップの移動方向に沿っていることを特徴とする光ディスク装置。
【請求項２】
請求項１記載の光ディスク装置において、
前記ユニットカバーは、前記中央開口を前記副案内軸側や前記ピックアップの移動方向の外周側に広げた形で副案内軸側拡大切欠き部が形成されていることを特徴とする光ディスク装置。
【発明の詳細な説明】
【技術分野】
【０００１】
本発明は、ＣＤやＤＶＤ等の光ディスク媒体を駆動する光ディスク装置に関する。
【背景技術】
【０００２】
従来のパソコン用や家庭用録画再生機用の光ディスク装置で、発熱源であるレーザやその駆動回路等をもつために高温となりやすいピックアップに対して、ピックアップが収容されるユニットメカの上部に配置されるユニットカバーに本来設けられる中央開口の他に通気のための開口等を追加することにより、ディスク回転で誘起される空気流であるディスク回転流をピックアップに導いて放熱向上させる技術の例が、特許文献１ないし３に記載されている。これらの特許文献で対象としている光ディスク装置は、ディスクの脱着の際にユニットメカが内部に固定された状態でトレイが装置筐体の前方に突出するトレイ方式（特許文献１〜３）や、ディスクの脱着が装置筐体の上部カバーの開閉で行われる上部開閉方式（特許文献２）であり、ユニットメカが筐体の外部に露出する場合があるものである。これらの方式では、外部に露出した際の意匠性や汚れ付着，ユニットメカの部品に使用者が触れる等に対策するため、ユニットカバーに対しピックアップの対物レンズ周辺部の移動範囲とディスクを回転させるスピンドルモータに対応する中央開口以外の部分に開口を設けることは、かなり制約されている。特許文献１に記載の光ディスク装置では、ピックアップのレーザ駆動回路と平面的に重なる位置やピックアップの対物レンズとピックアップの移動を案内する副案内軸との中間よりも副案内軸寄りの範囲に貫通孔をユニットカバーに設けるようにしている。また、特許文献２に記載の光ディスク装置では、円形状・多角形状・半円状・細長いスリット状等の複数の通風孔をユニットカバーに設けるようにしている。また、特許文献３に記載の光ディスク装置では、ユニットカバーの中央開口がディスク装着領域外に拡大されている部分に対し、その上方を覆うトレイをディスク回転流の向きに始めは薄く（隙間大）、下流側の開口端で厚く（隙間なし）することで、多くのディスク回転流が導入されるようにしている。
【０００３】
【特許文献１】特開２００５−１６６２１８号公報
【特許文献２】特開２００５−３１０１９２号公報
【特許文献３】特開２００５−３２２２７７号公報
【発明の開示】
【発明が解決しようとする課題】
【０００４】
本発明で対象とする光ディスク装置は、装置筐体の前面でディスクの取込み・排出を行い、前面と内部のユニットメカの間はディスクを内部の機構で自動的に搬送して脱着させるスロット方式であり、ユニットメカは筐体の内部にあって外部に露出する場合がないものである。従って、ユニットカバーに対するトレイ方式等のような意匠性等による開口設置の制約はなく、比較的大きな開口等を設けることが可能となる。しかしながら、スロット方式のユニットカバーで放熱向上のための通気開口等を大きくする際には、ディスクの脱着のための内部の機構の動作や筐体前面側でのディスクの移動を円滑に保ちながら、ピックアップの移動に伴う内部のフレキシブル配線の突出防止やその移動機構の摺動部分からのグリース飛散防止等も行うというスロット方式特有の機能を果たした上で強度も確保するよう、カバーとして残す部分の形状も十分に考える必要がある。
【０００５】
このようなスロット方式の光ディスク装置のユニットカバーへの適用を想定した場合、特許文献１は、ピックアップに移動のための駆動力が伝わる主案内軸とは反対側である副案内軸側のユニットカバーに対して、レーザ駆動回路に相当する位置に矩形状貫通孔や対物レンズと副案内軸の中間よりも副案内軸寄りの範囲に分散させた複数の貫通孔を設けるものであり、上記のような開口を大きくすることとスロット方式特有の機能や強度を保つことの両立が具体的に可能な構成とはなっていない。また特許文献２では、ユニットカバーの主案内軸側や副案内軸側に限定することなくカバー全体に複数の貫通孔を設けるものであり、これも上記のような開口を大きくすることとスロット方式特有の機能や強度を保つことの両立が具体的に可能な構成とはなっていない。また特許文献３は、ユニットカバーの中央開口の外周側の拡大部分に対向するトレイの厚さを変化させてディスク回転流を導くものであり、スロット方式ではこの部分のトレイの代用となる部品がないために適用は難しい。
【０００６】
本発明の目的は、スロット方式の光ディスク装置の特に高温となるピックアップを、装置の動作に問題を生じることなく十分に放熱できるようにすることにある。
【課題を解決するための手段】
【０００７】
上記目的は、筐体内部のディスクが上方に装着されるユニットメカと、このユニットメカの周囲部分を占める骨格となるメカシャシと、このメカシャシの内側に設けられ前記ディスクの記録・再生を行うピックアップと、前記ディスクを回転させるスピンドルモータと、前記ピックアップの移動を案内する主案内軸及び副案内軸と、前記メカシャシを覆うユニットカバーと、前記ピックアップの中央の対物レンズ周辺部の移動範囲と前記スピンドルモータの回転部とに相当する範囲で前記ユニットカバーに設けられた中央開口と、前記ディスクの取込みと排出を行う駆動レバーと、前記ユニットメカのスピンドルモ−タ側を上昇または下降させるユニットメカ揺動部と、前記ピックアップと固定された回路基板とを接続するピックアップフレキシブル配線とを備えた光ディスク装置において、前記ユニットカバーは、前記ディスクの搬送時に前記ユニットカバーの上にせり出す前記駆動レバーの軌跡に相当する位置に設けられたレバー支持平板部と、前記副案内軸側でかつ前記ピックアップの移動により前記ピックアップフレキシブル配線が前記ディスクへの接触を防ぐためのフレキシブル配線押さえ平板部と、前記ユニットメカのディスク外周側から前記副案内軸側の前寄りで前記ディスクの取込みと排出時の記録面側を摺動させながら保持するためのディスク導入平板部と、前記メカシャシを前記ユニットカバーに固定するために周囲平板部とを取り付けてなり、これらの平板部を残した上で、前記副案内軸側の前記フレキシブル配線押さえ平板部と前記レバー支持平板部に沿って前記ピックアップの移動方向と直交する方向にほぼ前記周囲平板部と前記副案内軸に達する範囲に広げた１つ以上の副案内軸側通気開口を形成し、前記中央開口を前記主案内軸側にほぼ前記周囲平板部と前記主案内軸に達するまで広げられた主案内軸側拡大切欠き部が形成するとともに、前記副案内軸側通気開口は前記光ピックアップの移動方向に沿っていることにより達成される。
【発明の効果】
【０００８】
ユニットカバーのレバー支持平板部でディスクの脱着のための駆動レバーの動作を円滑に保ち、ディスク導入平板部で筐体前面側でのディスクの移動を円滑に保ち、フレキシブル配線押さえ平板部でピックアップの移動に伴う内部のフレキシブル配線の突出を防止し、ピックアップの移動機構の摺動部分が露出する場合には駆動部カバー平板部で摺動部分からのグリース飛散を防止し、補強平板部で強度も確保した上で、副案内軸側通気開口や、必要に応じて追加した副案内軸側拡大切欠き部または外周側拡大切欠き部と主案内軸側拡大切欠き部とにより、ユニットカバーに通気のための開口等を大きく形成できる。従って、装置の動作に問題を生じることなく、スロット方式の光ディスク装置の高温となるピックアップに多くディスク回転流を導入して、十分に放熱できるようになる。
【発明を実施するための最良の形態】
【０００９】
以下、実施例を説明する。
【実施例１】
【００１０】
本発明に係わる光ディスク装置の一実施例を、図１〜図３を用いて説明する。図１は光ディスク装置の全体構造を示すトップカバーを除いた平面図であり、図２は光ディスク装置の図１に示したＣ−Ｃ断面図であり、図３は光ディスク装置のユニットメカの平面図である。本実施例の光ディスク装置は、主にノート型やデスクトップ型パソコンに搭載される薄型のもので、かつ装置筐体の前面でディスクの取込み・排出を行い、前面と内部のユニットメカの間はディスクを内部の機構で自動的に搬送して脱着させるスロット方式と呼ばれるものである。
【００１１】
光ディスク装置１は、主に上面をトップカバー２、下・側・背面をボトムカバー３，前面をフロントパネル４でそれぞれ覆われた筐体をもち、筐体内部にはディスク５が上方に装着されるユニットメカ６が前側から中央部に、信号処理および電源供給等を行う回路基板７が背面側下部に配置される。ユニットメカ６の周囲部分を占める骨格となるのがメカシャシ８で、メカシャシ８の内側には、ディスク５との情報の記録・再生を行うレーザダイオード・レーザ駆動ＩＣ等をもつピックアップ９とディスク回転用のスピンドルモータ１０が備えられる。ピックアップ９は、ディスク５の記録・再生のためにディスク５の半径方向（Ａ方向）の内周側（スピンドルモータ１０寄り）と外周側（装置筐体の前側）の間を移動できるように、上方から見て時計回りにディスク５が回転する装置筐体の中で前側から見て右側に、ピックアップ９の側面の一部に動力を伝えるピックアップ駆動部１１とピックアップ９の移動を案内する主案内軸１２が、装置筐体の中で前側から見て左側にピックアップ９の移動を案内する副案内軸１３が設けられている。さらにユニットメカ６の上部（ディスク対向面側）には、ピックアップ９の中央の対物レンズ周辺部１４（上方に若干突出している）の移動範囲とスピンドルモータ１０の回転部とに相当する範囲の中央開口１５を備えた、メカシャシ８に接触・固定されながら覆うユニットカバー１６が取付けられている。
【００１２】
さらに光ディスク装置１の内部でディスク５の脱着を自動的に行うため、装置筐体の前面とユニットメカ６のスピンドルモ−タ１０付近の間をディスク５の外周端を支持しながら移動させてディスク５の取込みまたは排出を行う駆動レバー１７（通常は主・副案内軸側に１つずつありＢのように円弧状に動作する）及び案内部材１８（副案内軸側側面と前側等に配置される）と、スピンドルモ−タ１０付近にあるディスク５に対しユニットメカ６のスピンドルモ−タ側を上昇または下降させて（Ｄ方向）スピンドルモ−タ１０へのディスク５の装着または解放を行うユニットメカ揺動部１９とからなるディスク着脱機構とが備えられている。また、移動するピックアップ９と固定された回路基板７とを接続するピックアップフレキシブル配線２０が、ピックアップ９の前側から下側を経て副案内軸
１３の下部側に通じるように設けられている。
【００１３】
ディスク５の記録・再生時には、光ディスク装置１内でピックアップ９のレーザダイオード・レーザ駆動ＩＣ等の光学系とスピンドルモータ１０および回路基板７等が発熱し、記録・再生の速度や使用時間及び使用環境の温度等の条件によっては、発熱密度が大きく、特に高温になりやすいピックアップ９でレーザダイオード等の部品が保証温度以上になり、装置の動作異常や寿命縮減等の問題が発生してくる。この光ディスク装置１では高温となるピックアップ９を効果的に放熱させるために、スロット方式ではユニットメカ６が常に装置筐体の内部にあるためユニットカバー１６に中央開口１５の他に開口等を追加してもトレイ方式等のような意匠性等の問題がないという利点を活かして、ユニットカバー１６での通気用の開口等を大幅に大きくしてピックアップ９に導入されるディスク回転流を増やす構造としている。それと同時に、ユニットカバー１６に追加した開口等がスロット方式特有の光ディスク装置１の内部での動作に悪影響を与えることのないように、ユニットカバー１６のカバーとして残す部分の形状を適正化するようにしている。これらに関連する特徴的な構造は次のとおりである。
【００１４】
この実施例のユニットカバー１６には、メカシャシ８の外周部分に、その上部端面と接触してカバーをメカシャシ８に支持・固定する役割の周囲平板部２１があり、また副案内軸側かつピックアップ移動方向の内周側（スピンドルモ−タ１０寄り）でディスク搬送時にカバー上にせり出す駆動レバー１７の外周部分の軌跡に相当する位置に、レバーの引っかかりやぶれを減らして円滑に動作させる役割のレバー支持平板部２２がある。さらにユニットメカ６の前側（ディスク外周側）から副案内軸側の前寄りの範囲の周囲平板部２１より内側には、取込みや排出時のディスク５の（ピックアップ寄りの）記録面側を摺動させながら保持するように前側の案内部材１８が取付けられたディスク導入平板部２３（案内部材１８は周囲平板部２１から連続する形で設置されている）があり、副案内軸側かつピックアップ移動方向の中周から外周（ユニットメカの前側）付近で、ピックアップ９の移動によりピックアップフレキシブル配線２０が上方に突出する範囲には、ディスク５への接触を防ぐため配線より狭いが突出防止には十分な幅としたフレキシブル配線押さえ平板部２４がある。またさらに、これらの各平板部を狭くしてもカバーとして必要な強度を保ち一体化させるために、副案内軸側の２個所に補強平板部２５が設けられている。またさらに、主案内軸側のピックアップ駆動部１１の摺動部２６でのグリース飛散を防止するように、周囲平板部２１から内側に延びた駆動部カバー平板部２７が設けられ、平板部のピックアップ９寄りの長さを短くできるように先端には斜め下側に折り曲げた形の庇部分３５が形成されている。庇部分３５は、ピックアップ９のピックアップ駆動部１１寄りの部品と干渉（具体的にはピックアップの部品と衝突や接触して移動を阻害すること）しない範囲で折り曲げられている。
【００１５】
これらの平板部を確保することで、カバーの他の部分に通気のための大きな開口等を形成しても、スロット方式の光ディスク装置１のユニットカバー１６に求められる、ディスク５の脱着のための内部の機構の動作や筐体前面側でのディスクの移動を円滑に保ちながら、ピックアップの移動に伴う内部のピックアップフレキシブル配線２０の突出防止やその移動機構の摺動部２６からのグリース飛散防止等も行うという機能とカバーとしての強度とを確保することができる。
【００１６】
これらの平板部を最低限残した上で、ユニットカバー１６にはさらに、副案内軸側のフレキシブル配線押さえ平板部と前記レバー支持平板部に沿って、ピックアップ９の移動方向と直交する方向にはほぼ周囲平板部２１や副案内軸１３に達する範囲に広げた、２つの副案内軸側通気開口２８が形成されている。また、対物レンズ周辺部１４の移動範囲に相当するレンズ周辺部境界線２９から、中央開口１５を副案内軸側やピックアップ移動方向の外周側に広げた形で副案内軸側拡大切欠き部３０と外周側拡大切欠き部３１とが、レンズ周辺部境界線２９から中央開口１５を主案内軸側にほぼ周囲平板部２１と主案内軸１２に達するまで広げた主案内軸側拡大切欠き部３２が形成されている。これらの大きな開口部等により、ユニットカバー１６にレンズ周辺部境界線２９に相当する中央開口１５しか形成されていない場合に比べ、ピックアップ９に導入されるディスク５の回転により誘起されるディスク回転流を格段に増やし、かつピックアップ９がその移動方向の内周から外周までのどの位置にあっても途切れることなく導入できるので、ピックアップ９の対流作用による放熱効果が大幅に向上する。
【００１７】
従って、以上のようにこの実施例によれば、ユニットカバー１６に設けた各平板部と開口等により、スロット方式の光ディスク装置の動作に問題を生じることなく、高温となるピックアップに多くディスク回転流を導入して、十分に放熱できるようになる。
【実施例２】
【００１８】
本発明に係わる光ディスク装置の他の実施例を、図４を用いて説明する。図４は光ディスク装置のユニットメカの平面図である。後述の実施例でも共通に、光ディスク装置１の各部品には実施例１と同じ番号を付けて示し、構造は実施例１と異なるものを主体にして説明を行う。
【００１９】
この実施例のユニットカバー１６では、副案内軸側通気開口２８が３つに増やされ、副案内軸側のレバー支持平板部２２とフレキシブル配線押さえ平板部２４と外周側の補強平板部２５にカバーの厚さ程度の段差をもつ補強窪み３４が設けられ、主案内軸側には拡大切欠き部が形成されていない点が前述の実施例１と異なっている。副案内軸側通気開口
２８が３つになっているが、ピックアップ移動方向の内周から外周まで開口が広げられている状況はほぼ同じであり、補強窪み３４によりそれが設けられた平板部の強度を保ちながら幅をやや狭くすることができる。従って、これらによりユニットカバー１６の放熱効果やカバーに必要な機能は、実施例１とあまり変わらない。また、主案内軸側に拡大切欠き部がないことで導入されるディスク回転流はやや減るものの、これによる放熱効果の低下はピックアップ９の発熱部品が対物レンズ周辺部１４より主案内軸側には多くないために限られ、元々優勢な副案内軸側に形成された大きな開口等による放熱効果の向上が効くので、全体として放熱効果は実施例１とほぼ同様となる。
【００２０】
以上のようにこの実施例では実施例１と部分的に異なる構造としているが、ユニットカバー１６全体では有効な平板部や開口等は確保されているため、実施例１と同様に、スロット方式の光ディスク装置の動作に問題を生じることなく、高温となるピックアップに多くディスク回転流を導入して、十分に放熱できるようになる。
【実施例３】
【００２１】
本発明に係わる光ディスク装置のさらに他の実施例を、図５を用いて説明する。図５は光ディスク装置光ディスク装置のユニットメカの平面図である。
【００２２】
この実施例のユニットカバー１６では、副案内軸側通気開口２８がピックアップ移動方向の中周から外周の範囲の１つだけとされ、ピックアップ移動方向の外周側ではディスク導入平板部２３が内側に延びているため外周側拡大切欠き部３１が特に形成されていない。またさらに、主案内軸側拡大切欠き部３２はピックアップ駆動部１１の摺動部２６にユニットカバー１６とは別のカバー部材３３があるため、主案内軸１２や摺動部２６を越えて周囲平板部２１に達するまで広げられ、かつ主案内軸側には周囲平板部２１を固定のためピックアップ移動方向の外周側に限っている点が、前述の実施例１と異なっている。副案内軸側通気開口２８が内周側にはないと共に外周側拡大切欠き部３１もないため、その部分で導入されるディスク回転流はやや減るものの、ディスク回転流は内周側では外周側に比べて元々弱く、中周から外周では副案内軸側通気開口２８や副案内軸側拡大切欠き部３０で実施例１と同様に導入されるため、これによる放熱効果の低下は限られたものとなる。また、主案内軸側拡大切欠き部３２は実施例１より若干大きくなっているので、主案内軸側から導入されるディスク回転流が減ることはなく、これにより放熱効果は実施例１と同等な向上となる。
【００２３】
以上のようにこの実施例でも実施例１と部分的に異なる構造としているが、ユニットカバー１６全体では有効な平板部や開口等は確保されているため、実施例１と同様に、スロット方式の光ディスク装置の動作に問題を生じることなく、高温となるピックアップに多くディスク回転流を導入して、十分に放熱できるようになる。
【実施例４】
【００２４】
本発明に係わる光ディスク装置のさらに他の実施例を、図６を用いて説明する。図６は光ディスク装置のユニットメカの平面図である。
【００２５】
この実施例のユニットカバー１６では、副案内軸側通気開口２８が８つに分割され、副案内軸側のレバー支持平板部２２とフレキシブル配線押さえ平板部２４と外周側の補強平板部２５の幅が広げられると共に副案内軸側通気開口２８より小さな小開口３６が形成され、副案内軸側拡大切欠き部３０が特に形成されていない点が前述の実施例１と異なっている。副案内軸側通気開口２８を複数に分割しているが、ピックアップ移動方向の内周から外周まで開口が広げられている状況はほぼ同じであり、開口面積や通気性は実施例１とそれ程変わらないようにできる。また、レバー支持平板部２２とフレキシブル配線押さえ平板部２４の幅を広げているが、小開口３６があることで幅が狭い代わりに副案内軸側拡大切欠き部３０のある実施例１の場合と平板部周辺の通気性は実施例１と同等になっている。一方で、レバー支持平板部２２とフレキシブル配線押さえ平板部２４の幅が広いことで、それらの部分のカバーとしての機能上はやや有利になる。従って、これらによりユニットカバー１６の放熱効果やカバーに必要な機能は、実施例１とあまり変わらない。
【００２６】
以上のようにこの実施例では実施例１と部分的に異なる構造としているが、ユニットカバー１６全体では有効な平板部や開口等は確保されているため、実施例１と同様に、スロット方式の光ディスク装置の動作に問題を生じることなく、高温となるピックアップに多くディスク回転流を導入して、十分に放熱できるようになる。
【実施例５】
【００２７】
本発明に係わる光ディスク装置のさらに他の実施例を、図７〜図９を用いて説明する。図７は光ディスク装置のユニットメカの下面図であり、図８は光ディスク装置の部分側方断面図（Ｅ−Ｅ断面）であり、図９は本発明に係る非接触放熱板のモデル試験の説明図である。
【００２８】
この実施例では、ユニットカバー１６は前述の実施例１と同じ形状とした上で、ユニットメカ６の（ディスク対向面側とは反対側の）下方でピックアップ移動方向の外周側に、ピックアップ９の下面と非接触で近接するように部分アンダーカバー３７がメカシャシ８に固定される形で設置されている。部分アンダーカバー３７の設置位置は、ディスク着脱機構によりユニットメカ６のスピンドルモータ１０の側が下降した場合でも、部分アンダーカバー３７のピックアップ移動方向の中周寄りの下面が装置筐体のボトムカバー３に強く接触しない範囲としている。従来のスロット方式の光ディスク装置１では、トレイ方式のものと違ってユニットメカ６が装置筐体の外部に突出することがないため、ユニットメカ６の下部を覆うアンダーカバーは設けられておらず、またピックアップ９の下面とボトムカバー３との装置稼動状態での隙間は、ユニットメカ６がディスク着脱機構により揺動するために１mm前後とやや大きくなっている。この実施例では、前述のユニットカバー
１６の開口等による対流作用での放熱効果に加えて、ボトムカバー３に比べて近接させた部分アンダーカバー３７を追加することにより、隙間を小さくすることで空気層の熱伝導や放射の作用で放熱向上が図れるという非接触放熱板の効果を利用して、ピックアップ９の下面でも放熱効果を得ようとするものである。
【００２９】
ピックアップ９と部分アンダーカバー３７のような非接触で放熱を行う非接触放熱板の効果を検証するモデル試験の概略が図９に示されている。このモデル試験では、発熱板がピックアップに、放熱板が非接触放熱板材（この実施例では部分アンダーカバー）に相当し、寸法や材質は実際の装置で想定される範囲で選んでいる。試験結果には、放熱板との隙間が約７mm以上では自然対流や広い空間への放射による弱い放熱のため発熱板の温度は高い状態だが、隙間がそれより小さくなるとまず放射、次いで空気層を介した熱伝導が増えるので発熱板から放熱板への放熱が強くなり、発熱板温度が急低下し、放熱板温度が面積比に相応した割合で漸増する傾向が現れている。スロット方式の光ディスク装置１では、部分アンダーカバーのない場合ではピックアップに対向するボトムカバーまでの隙間は１mm前後だが、部分アンダーカバー追加によりピックアップに対向する部分アンダーカバーまでの隙間を０.３〜０.６mm程度まで小さくできると考えられるので、ピックアップ
（発熱板）の温度を２〜５℃低下させられることになる。この結果は供試した仕様での一例であり材質・サイズ等により結果は変わってくるが、適正な仕様を選べば非接触放熱板で良好な放熱ができることを実証するものである。
【００３０】
以上のようにこの実施例では実施例１と部分アンダーカバー３７の追加が異なる構造となっているが、ユニットカバー１６の平板部や開口等は同じで同様な放熱効果が得られると共に部分アンダーカバーによる放熱効果も加わるので、実施例１と同様に、スロット方式の光ディスク装置の動作に問題を生じることなく、高温となるピックアップを対流作用だけでなく熱伝導や放射の作用を利用して、十分に放熱できるようになる。
【００３１】
以上、それぞれの実施例に即して本発明を説明してきたが、発明実施の形態は実施例に限られず、他の形態でも良い。例えば、通気のための面積が確保できるならば、副案内軸側通気開口はフレキシブル配線押さえ部またはレバー支持平板部から周囲平板部または副案内軸までの途中までとしてもよいし、主案内軸側拡大切欠き部はレンズ周辺部境界線から周囲平板部または主案内軸までの途中までとしてもよい。また、平板部に形成する補強窪みや小開口は、カバーの機能や強度に問題がない範囲でいずれかの平板部に設けてもよい。
【図面の簡単な説明】
【００３２】
【図１】本発明に係る光ディスク装置の一実施例についての全体構造を示すトップカバーを除いた平面図である。
【図２】図１のＣ−Ｃ断面図である。
【図３】図１に示した光ディスク装置のユニットメカの平面図である。
【図４】本発明に係る光ディスク装置の他の実施例についてのユニットメカの平面図である。
【図５】本発明に係る光ディスク装置のさらに他の実施例についてのユニットメカの平面図である。
【図６】本発明に係る光ディスク装置のさらに他の実施例についてのユニットメカの平面図である。
【図７】本発明に係る光ディスク装置のさらに他の実施例についてのユニットメカの下面図である。
【図８】図７に示した光ディスク装置の部分側方断面図（Ｅ−Ｅ断面）である。
【図９】本発明に係る非接触放熱板のモデル試験の説明図である。
【符号の説明】
【００３３】
１…光ディスク装置、５…ディスク、６…ユニットメカ、８…メカシャシ、９…ピックアップ、１０…スピンドルモータ、１１…ピックアップ駆動部、１２…主案内軸、１３…副案内軸、１４…対物レンズ周辺部、１５…中央開口、１６…ユニットカバー、１７…駆動レバー、１８…案内部材、１９…ユニットメカ揺動部、２０…ピックアップフレキシブル配線、２１…周囲平板部、２２…レバー支持平板部、２３…ディスク導入平板部、２４…フレキシブル配線押さえ平板部、２５…補強平板部、２６…摺動部、２７…駆動部カバー平板部、２８…副案内軸側通気開口、２９…レンズ周辺部境界線、３０…副案内軸側拡大切欠き部、３１…外周側拡大切欠き部、３２…主案内軸側拡大切欠き部、３４…補強窪み、３５…庇部分、３６…小開口、３７…部分アンダーカバー。
【図１】
0004908883.tif 000002
【図２】
0004908883.tif 000003
【図３】
0004908883.tif 000004
【図４】
0004908883.tif 000005
【図５】
0004908883.tif 000006
【図６】
0004908883.tif 000007
【図７】
0004908883.tif 000008
【図８】
0004908883.tif 000009
【図９】
0004908883.tif 000010